(57)【要約】      （修正有）【課題】家庭菜園等で自然薯等長芋を手軽に栽培可能とするために、地中に埋設することなく地上に立設して使用しても、栽培容器内の水分の保持が可能で、季節による栽培温度変化が少ない自然薯等長芋の栽培容器を提供する。【解決手段】周方向に２分割可能な略円筒形状の筒材１において、筒材１の内側全面に短繊維状素材からなるシート材２が貼付されており、該筒材外周の複数個所を帯状バンド３で係止することで開閉可能としたことを特徴とする自然薯等長芋の栽培容器。【選択図】図１
0003180251.tif 000002
【実用新案登録請求の範囲】
【請求項１】
周方向に２分割可能な略円筒形状の筒材において、筒材の内側全面に短繊維状素材からなるシート材が貼付されており、該筒材外周の複数個所を帯状バンドで係止することで開閉可能としたことを特徴とする自然薯等長芋の栽培容器。
【請求項２】
短繊維状素材からなるシートが、リサイクル繊維からなることを特徴とする請求項１に記載の自然薯等長芋の栽培容器。
【請求項３】
短繊維状素材からなるシートの厚みが１〜３ｃｍであることを特徴とする請求項１又は請求項２に記載の自然薯等長芋の栽培容器。
【考案の詳細な説明】
【技術分野】
【０００１】  本考案は、家庭菜園等で自然薯等長芋を手軽に栽培可能な栽培容器に関するものである。更に詳しくは、保水性や保温性に優れていることから、栽培容器を立設して栽培可能な栽培容器に関する。
【背景技術】
【０００２】  従来から自然薯等長芋を畑で栽培するための栽培容器が数多く提案されている。
（例えば、特許文献１〜３）
これらの提案は、栽培容器を地中に横臥状に埋設して自然薯等長芋を栽培するのがほとんどである。地中に埋設して栽培するには、広域面積の土地が必要であるばかりでなく、収穫時には地中から張り出すために耕耘機や鍬等を用いることが必要であり、多くの労力を要していた。
こうした不便さを解消する目的で、自然薯等長芋を低コストで栽培可能とするとともに、収穫作業を簡単容易に行える栽培容器が提案されている。（特許文献４）
しかし、該提案は従来の栽培容器を単に立設させてこの中に培土を封入したものにすぎないことから、長さが約１ｍ程度になると栽培容器内上方の水分が下方に移動して上方の培土が乾燥するという欠点があった。
更に、自然薯等長芋の栽培は多年性であることから、暑い夏場や寒い冬場の外気温により、季節による筒内温度の変化が大きく、埋設して栽培する場合に比較して自然薯等長芋の成長が損なわれるという欠点があった。
【先行技術文献】
【特許文献】
【０００３】
【特許文献１】特許第３２１９７２８号公報
【特許文献２】特開平１０−３１３６７７号公報
【特許文献３】実用新案登録第３１３５４２９号公報
【特許文献４】実用新案登録第３０７９５０３号公報
【考案の概要】
【考案が解決しようとする課題】
【０００４】  本考案が解決しようとする課題は、家庭菜園等で自然薯等長芋を手軽に栽培可能とするために、地中に埋設することなく地上に立設して使用しても、栽培容器内の水分の保持が可能で、かつ、保温性に優れていることから、季節による栽培温度変化が少ない自然薯等長芋の栽培容器を提案することである。
【課題を解決するための手段】
【０００５】  本考案は、周方向に２分割可能な略円筒形状の筒材において、筒材の内側全面に短繊維状素材からなるシート材が貼付されており、該筒材外周の複数個所を帯状バンドで係止することで開閉可能としたことを特徴とする自然薯等長芋の栽培容器である。
【考案の効果】
【０００６】  本考案の自然薯等長芋栽培容器は、地中に埋設することなく地上に立設して使用しても、栽培容器内の水分の保持が可能であるり、又、季節による栽培温度の変化も少ないことから、家庭菜園やベランダ等でも自然薯等長芋の栽培が可能であり、栽培用地や作業時の労力が軽減できるという利点がある。
【図面の簡単な説明】
【０００７】
【図１】本考案の栽培容器の外観を示す概念図
【図２】本考案の栽培容器の断面を示す概念図
【図３】本考案の栽培容器を地上に立設して栽培する様子を示す概念図
【図４】本考案の栽培容器をプランターに立設して栽培する様子を示す概念図
【考案を実施するための説明】
【０００８】  以下、本考案を図面をもって詳細に説明する。
図１は本考案の栽培容器の外観を示す概念図である。
図１において、筒材１は周方向に２分割可能な略円筒形状の筒体で形成されており、２分割することで、開閉可能な構造となっている。
この筒体の材質は、特に限定されないが竹等の天然材や塩化ビニール材、アクリル樹脂、ベークライト樹脂等の合成樹脂製等圧縮に絶える強度を有する材質であることが好ましい。
筒体の大きさは、直径約７ｃｍ〜約２０ｃｍであることが取扱い性等から好ましい。厚みは約０．５ｃｍ〜２ｃｍが圧縮強度を維持することから好ましい。
筒体の長さは、通常約７０ｃｍ〜１５０ｃｍであることが取扱い性等から好ましい。家庭用等で使用する場合には、約８０ｃｍ〜約１２０ｃｍであることが好ましい。
【０００９】  図１において、筒材１の内側全面には短繊維状素材からなるシート材２が貼付されている。
この短繊維状素材シート２を貼付することにより、培土だけの場合に比べて保水性が向上する。更に、短繊維状素材シート２の保温効果により、季節による内部温度変化が少なくできるという利点がある。
本考案に使用する短繊維状素材シート２は、綿、羊毛、麻等の天然繊維やポリエステル、ナイロン、アクリル等の合成繊維やこれらの混合物であっても良い。また、近年、衣類やカーペット等の再生屑を成型したりサイクル繊維であることが好ましい。
短繊維状素材シート２の厚みは特に限定されないが、保水性や断熱性を保つ目的から、約０．５ｃｍ〜５ｃｍであることが好ましい。
短繊維状素材シートの厚みは、より好ましくは、１ｃｍ〜３ｃｍである。
短繊維状素材シート２は、筒体１の内側に貼付されている。
筒体１への貼付方法は特に限定されないが、エポキシ樹脂等の接着剤を使用して剥離を防ぐことが好ましい。
本考案は、この短繊維状素材シートを貼付することにより、土壌に比べて保水性に優れ、しかも、保温性に優れている。
【００１０】  本考案の周方向に２分割可能な略円筒形状の筒体は、該筒体外周の複数個所を帯状バンド３により係止する構造となっている。
２分割可能とすることにより、必要によって自然薯等長芋の生育状態を目視や接触によって確認することが可能である。
帯状バンドの形状や係止方法は特に限定されないが、近年汎用化されているものフィラメントを利用した係留バンド等が利用される。
【００１１】  図２は、本考案の栽培容器の断面の概念図を示す。
【００１２】  図３は、本考案の栽培容器を畑土に立設して栽培する様子を示す概念図である。
【００１３】  図４は、本考案の栽培容器を家庭用プランターに立設して栽培する様子を示す概念図である。
【産業上の利用可能性】
【００１４】  本考案の栽培容器は、地中に埋設することなく地上に立設して使用しても、栽培容器内の水分の保持が可能であり、又、季節による栽培温度の変化も少ないことから、家庭菜園やベランダ等でも自然薯等長芋の栽培が可能であり、栽培用地や作業時の労力が軽減できることから、手軽に自然薯等長芋の栽培に利用できる。
本考案の栽培容器は、地中に埋設して使用するとことも可能であり、保水性、保温性の効果が発揮できる。
【符号の説明】
【００１５】１  筒体
２  短繊維状素材シート
３  帯状バンド
【図１】
0003180251.tif 000003
【図２】
0003180251.tif 000004
【図３】
0003180251.tif 000005
【図４】
0003180251.tif 000006